(57)【要約】【課題】効果的に発汗を抑制することができる発汗抑制具を提供する。【解決手段】発汗抑制具１０は、発汗を抑制するツボを押圧して刺激する刺激部材２と、人体の上半身の前面部におけるツボの位置に刺激部材２を維持するブラジャ部材１と、を含む。刺激部材２が胸保護部３側における肩紐部５の内側、すなわち人体側に設けられていることにより、女性は一般的なブラジャを装着するように発汗抑制具１０を装着すると、肩紐部５に設けられた刺激部材２が前面部のツボの位置で維持される。従って、刺激部材２が前面部のツボを刺激するため、効果的に発汗を抑制させることができる。【選択図】図２
2012024241.tif 000002
【特許請求の範囲】
【請求項１】
発汗を抑制するツボを刺激する刺激部材と、
人体の上半身の前面部のみにおける所定の位置に前記刺激部材を維持する位置維持手段と、を含む、発汗抑制具。
【請求項２】
前記位置維持手段は、上半身に着用される衣服と略同様の形状を有する、請求項１に記載の発汗抑制具。
【請求項３】
前記位置維持手段は、帯状部材である、請求項１に記載の発汗抑制具。
【請求項４】
前記刺激部材は、前記位置維持手段に脱着自在である、請求項１〜３のいずれかに記載の発汗抑制具。
【請求項５】
人体の上半身の前面部のみにおける所定の位置に設けられ、発汗を抑制するツボを刺激する刺激部材。
【発明の詳細な説明】
【技術分野】
【０００１】
この発明は、人体の発汗を抑制するツボを刺激する発汗抑制具および刺激部材に関する。
【背景技術】
【０００２】
人体の体側部（両脇の下）には発汗を抑制するツボ（以下「体側部のツボ」という）があり、従来からそのツボを刺激する器具は存在する。たとえば、下記特許文献１には、人体の胸部よりも上の部分の発汗を抑える発汗抑制具が開示されている。特許文献１によれば、バンド、帯、紐などの締着具、または、ブラジャの脇の下の紐部に引っかけるように取り付けられた押圧体が、体側部のツボを押圧することで発汗を抑制している。また、下記特許文献２には、顔面にかく汗を防止するとともに、化粧くずれも防止する発汗防止具および発汗防止具付下着が開示されている。特許文献２によれば、発汗防止具の突起が体側部のツボに接する状態にして面ファスナで女性用のブラジャの横紐に装着させるか、または、体側部のツボに粘着テープで発汗防止具を貼りつける発汗防止具、あるいは、女性用ブラジャの両側の脇の下の内側部分に設けられた突起が体側部のツボに接するように構成された発汗防止具付下着によって、上半身の発汗を防止している。
【先行技術文献】
【特許文献】
【０００３】
【特許文献１】特開平９−１４９９２９号公報
【特許文献２】特開平９−１０３４６３号公報
【発明の概要】
【発明が解決しようとする課題】
【０００４】
人体の上半身には、特許文献１および２で開示される体側部のツボの他に、人体の前面部にも発汗を抑制するツボ（以下「前面部のツボ」という）が存在する。前面部のツボは、個人差はあるが、高さは鎖骨と乳首との間で、幅は両脇の間を占める領域辺りに存在しており、一般的に知られている。また、前面部のツボを刺激する方が、体側部のツボを押圧するよりも、発汗を抑制する効果は高い。
【０００５】
しかしながら、特許文献１および２においては、体側部のツボを押圧するのみであったため、従来の発汗抑制具では発汗を抑制するには不十分であった。
【０００６】
この発明の目的は、上記に鑑みてなされたものであり、効果的に発汗を抑制することができる発汗抑制具および刺激部材を提供することである。
【課題を解決するための手段】
【０００７】
この発明に係る発汗抑制具は、発汗を抑制するツボを刺激する刺激部材と、人体の上半身の前面部のみにおける所定の位置に刺激部材を維持する位置維持手段と、を含む。
【０００８】
好ましくは、位置維持手段は、上半身に着用される衣服と略同様の形状を有する。
【０００９】
さらに好ましくは、位置維持手段は、帯状部材である。
【００１０】
さらに好ましくは、刺激部材は、位置維持手段に脱着自在である。
【００１１】
この発明の他の局面において、刺激部材は、人体の上半身の前面部のみにおける所定の位置に設けられ、発汗を抑制するツボを刺激する。
【発明の効果】
【００１２】
発汗を抑制するツボを刺激する刺激部材を、人体の上半身の前面部のみにおける所定の位置で維持するため、前面部のツボを刺激して、効果的に発汗を抑制することのできる発汗抑制具および刺激部材を提供することができる。
【図面の簡単な説明】
【００１３】
【図１】人体の上半身を示す正面図である。
【図２】第１の実施形態におけるブラジャ型の発汗抑制具を示す概略図であり、（Ａ）は前方から見た斜視図であり、（Ｂ）は後方から見た斜視図である。
【図３】ブラジャ部材を説明するための概略斜視図である。
【図４】発汗抑制具に設けられる刺激部材を示す概略図である。（Ａ）は斜視図であり、（Ｂ）は（Ａ）のＩＶＢ−ＩＶＢにおける矢視図である。
【図５】女性が装着した場合の発汗抑制具を示す正面図である。
【図６】刺激部材の変形例を示す概略図であり、（Ａ）は斜視図であり、（Ｂ）は（Ａ）のＶＩＢ−ＶＩＢにおける矢視図であり、（Ｃ）は（Ａ）のＶＩＣ−ＶＩＣにおける矢視図である。
【図７】刺激部材の他の変形例を示す概略図であり、（Ａ）は斜視図であり、（Ｂ）は（Ａ）のＶＩＩＢ−ＶＩＩＢにおける矢視図であり、（Ｃ）は（Ａ）のＶＩＩＣ−ＶＩＩＣにおける矢視図である。
【図８】刺激部材のさらに他の変形例を示す概略図であり、（Ａ）は斜視図であり、（Ｂ）は（Ａ）のＶＩＩＩＢ−ＶＩＩＩＢにおける矢視図である。
【図９】第１の実施形態の発汗抑制具における変形例を示す概略図であり、（Ａ）は前方から見た斜視図であり、（Ｂ）は後方から見た斜視図である。
【図１０】第１の実施形態の発汗抑制具における他の変形例に示す概略図であり、（Ａ）は前方から見た斜視図であり、（Ｂ）は後方から見た斜視図である。
【図１１】第１の実施形態の発汗抑制具におけるさらに他の変形例を示す概略図である。（Ａ）は前方から見た斜視図であり、（Ｂ）は後方から見た斜視図であり、（Ｃ）は（Ｂ）において丸で囲んだ部分ＸＩＣの拡大図である。
【図１２】第１の実施形態の発汗抑制具におけるさらに他の変形例を示す図であり、（Ａ）は前方から見た斜視図であり、（Ｂ）は後方から見た斜視図である。
【図１３】第１の実施形態の発汗抑制具におけるさらに他の変形例であるティーシャツ型の発汗抑制具を示す正面図である。
【図１４】第１の実施形態の発汗抑制具におけるさらに他の変形例である細帯型の発汗抑制具を示す正面図である。
【図１５】細帯型の発汗抑制具における変形例を示す概略図であり、（Ａ）は斜視図であり、（Ｂ）は（Ａ）において丸で囲んだ部分ＸＶＢの拡大図である。
【図１６】第２の実施形態における刺激部材が市販のブラジャに取り付けられた状態を示す概略図であり、（Ａ）は前方から見た斜視図であり、（Ｂ）は後方から見た斜視図である。
【図１７】第２の実施形態における刺激部材を示す概略図であり、（Ａ）は斜視図であり、（Ｂ）は（Ａ）のＸＶＩＩＢ−ＸＶＩＩＢにおける矢視図であり、（Ｃ）は、第１基台および第２基台における接続の関係を示す概略斜視図である。
【発明を実施するための形態】
【００１４】
以下、この発明の実施形態を、図面を参照して説明する。まず、人体の上半身の前面部における発汗を抑制するツボについて説明する。図１は、人体の上半身を示す正面図である。図１を参照して、一点鎖線で囲まれる領域Ｒは、人体の上半身の前面部における発汗を抑制するツボが存在する領域を示し、破線は人体の上半身を仮想的に示している。領域Ｒ（所定の位置）は、高さが鎖骨と乳首との間で、幅が両脇の間に囲まれる範囲内に含まれる。すなわち、図１で示される領域Ｒ内に存在する前面部のツボを刺激することにより、発汗が抑制される。また、前面部のツボは、上記でも説明したように、発汗を抑制する効果が高いため、たとえば、前面部のツボを軽く押圧したり、前面部のツボにわずかな磁気を与える程度の刺激で十分に効果が得られる。
【００１５】
以下に、上記の領域Ｒ内に存在する前面部のツボを刺激して発汗を抑制する発汗抑制具の具体的な実施形態について説明する。
【００１６】
（１）第１の実施形態
第１の実施形態について説明する。この実施形態においては、まず、女性用の上半身において装着されるブラジャ型の発汗抑制具について説明する。図２はブラジャ型の発汗抑制具を示す概略図であり、（Ａ）は前方から見た斜視図であり、（Ｂ）は後方から見た斜視図である。図２（Ａ）および（Ｂ）を参照して、発汗抑制具１０は、女性の胸を保護するブラジャ部材１と、ブラジャ部材１の内側(すなわち、人体側)に設けられ、発汗を抑制するツボを押圧して刺激する刺激部材（押圧刺激部材）２とを含む。
【００１７】
まず、ブラジャ部材１について説明する。図３はブラジャ部材１を説明するための概略斜視図である。図３を参照して、ブラジャ部材１は、図３中では白抜きで示された、上半身の前面部における女性の両胸を保護する胸保護部３と、図３中ではドット柄で示された、胸保護部３における左右の両下端部と接続され、女性の胸よりやや下の位置で上半身を１周し、背後に設けられたホック６（図２（Ｂ）参照）により締め付けが固定されて、ブラジャ部材１が上半身に対してずれないようにする胸回り紐部４と、図３中では斜線で示された、上半身の前面部において左右の各胸保護部３の上端部と接続され、女性の肩を上方を通って背後に延在し、背後で胸回り紐部４と接続される肩紐部５と、を含む。すなわち、ブラジャ部材１は一般的なブラジャと略同様の形状を有する。
【００１８】
次に、刺激部材２について説明する。図４は発汗抑制具１０に設けられる刺激部材２を示す概略図である。（Ａ）は斜視図であり、（Ｂ）は（Ａ）のＩＶＢ−ＩＶＢにおける矢視図である。図４（Ａ）および（Ｂ）を参照して、刺激部材２は、シリコンゴムからなる略矩形状の基台１１と、基台１１の一方面に設けられ、シリコンゴムからなる略半球体の形状を有する複数の突起部１２と、を含む。基台１１からの突起部１２の高さは３〜１０ｍｍであるのが好ましい。なお、刺激部材２の大きさ（基台１１の面積など）については、後述する位置維持手段に応じて適切な大きさに特定されるのが好ましい。
【００１９】
再び図２（Ａ）および（Ｂ）を参照して、発汗抑制具１０は、具体的には、胸保護部３側における肩紐部５の内側に刺激部材２を有している。従って、発汗抑制具１０が装着されると、装着された状態における刺激部材２の位置は維持される。すなわち、ブラジャ部材１は、位置維持手段として作用する。
【００２０】
次に、発汗抑制具１０の作用について説明する。図５は女性が装着した場合の発汗抑制具１０を示す正面図である。図５を参照して、刺激部材２が胸保護部３側における肩紐部５の内側、すなわち人体側に設けられていることにより、女性は一般的なブラジャを装着するように発汗抑制具１０を装着すると、肩紐部５に設けられた刺激部材２が領域Ｒ内における前面部のツボの位置で維持される。従って、刺激部材２が前面部のツボを押圧して刺激するため、効果的に発汗を抑制させることができる。
【００２１】
なお、この実施形態における刺激部材２の形状を、図４を用いて説明したが、これに限ることはなく、刺激部材は突起部を有していればよく、突起部の形状や突起部の数は任意である。以下、図６〜図８を用いて刺激部材の例をいくつか説明する。
【００２２】
図６は発汗抑制具に設けられる刺激部材２０を示す概略図である。（Ａ）は斜視図であり、（Ｂ）は（Ａ）のＶＩＢ−ＶＩＢにおける矢視図であり、（Ｃ）は（Ａ）のＶＩＣ−ＶＩＣにおける矢視図である。図６を参照して、刺激部材２０は、側面から見た形状（図６（Ｂ）参照）および正面から見た形状（図６（Ｃ）参照）が略台形の形状である突起部２２を基台２１上に有し、突起部２２が人体の表面に対して面で接触するようにして前面部のツボを刺激する。
【００２３】
図７は発汗抑制具に設けられる刺激部材２３を示す概略図である。（Ａ）は斜視図であり、（Ｂ）は（Ａ）のＶＩＩＢ−ＶＩＩＢにおける矢視図であり、（Ｃ）は（Ａ）のＶＩＩＣ−ＶＩＩＣにおける矢視図である。図７を参照して、刺激部材２３は、側面から見た形状（図７（Ｂ）参照）および正面から見た形状（図７（Ｃ）参照）からもわかるように先端部が尖っている突起部２５を基台２４上に有し、突起部２５が人体の表面に対して点で接触するようにして前面部のツボを刺激する。このとき、突起部２５は人体に接しても傷つけることのない素材であるのが好ましい。
【００２４】
図８は発汗抑制具に設けられる刺激部材２６を示す概略図である。（Ａ）は斜視図であり、（Ｂ）は（Ａ）のＶＩＩＩＢ−ＶＩＩＩＢにおける矢視図である。図８を参照して、刺激部材２６は、正面から見た形状（図８（Ｂ）参照）が略三角形である突起部２８を基台２７上に有し、突起部２８が人体の表面に対して線で接触するようにして前面部のツボを刺激する。
【００２５】
なお、刺激部材は、突起部が前面部のツボに対して、面、線、または点で接触するような形状を有するものであればよい。また、刺激部材の突起部が前面部のツボに対して、面、線または点で接触する形状を複合的に有する形状でもよい。
【００２６】
なお、この実施形態においては、刺激部材２を胸保護部３側における肩紐部５の内側の位置で維持する場合について説明したが、これに限ることなく、領域Ｒ内で刺激部材２の位置が維持されれば、ブラジャ部材１において肩紐部５ではない他の部分であってもよい。たとえば、胸保護部３を位置維持手段としてもよい。また、肩紐部５と胸保護部３とが接続する部分の近傍における肩紐部５の幅は広い方がよい。具体的には、肩紐部５の幅が約１５ｍｍ以上であるのが好ましい。刺激部材２を固定する範囲が広くなるため、より領域Ｒにおける個人差への適用能力が向上するからである。また、より大きい刺激部材２を設けることが可能となるからである。
【００２７】
次に、この実施形態の変形例について説明する。図９はこの変形例における発汗抑制具３０を示す概略図である。（Ａ）は前方から見た斜視図であり、（Ｂ）は後方から見た斜視図である。なお、発汗抑制具３０は、上記の実施形態で説明した発汗抑制具１０と基本構成が同様のため、相違点について以下に説明する。
【００２８】
図９（Ａ）および（Ｂ）を参照して、発汗抑制具３０における肩紐部３４は、背後部分が幅広な形状を有し、背面において胸回り紐部３３と一体的に構成されている。すなわち、発汗抑制具３０はタンクトップのような形状を有する。発汗抑制具３０は、装着する人の背後部分における下端部の中央に設けられたホック３６を有し、これにより、発汗抑制具３０が上半身に対してずれないよう留められる。また、刺激部材３５は、上記で説明した図６に示される刺激部材２０と同様のものが用いられ、胸保護部３２側の各肩紐部３４の内側に設けられている。従って、上記した前面部のツボが存在する領域Ｒ内に位置するように、刺激部材３５の位置が維持される。
【００２９】
この変形例によれば、肩紐部３４の内側に設けられた刺激部材３５が上半身の前面部におけるツボの位置で維持されるため、押圧により前面部のツボを刺激して効果的に発汗を抑制させることができる。また、タンクトップのような形状を有していることより、発汗抑制具３０が上半身に対して安定して維持されるため、結果として、刺激部材３５の位置がずれることなく確実に前面部のツボを刺激することができる。
【００３０】
なお、この変形例において、発汗抑制具３０は背後部分に設けられたホック３６により留められる場合について説明したが、背後部分の略全面が一体的に構成される、いわゆるタンクトップと略同様の形状にして、発汗抑制具３０を頭からかぶって装着するような構成にしてもよい。こうすることにより、ホック３６を留める手間がかからない。
【００３１】
次に、この実施形態の他の変形例について説明する。図１０は、この変形例における、いわゆるビュスチェのような形状を有する発汗抑制具４０を示す概略図であり、（Ａ）は前方から見た斜視図であり、（Ｂ）は後方から見た斜視図である。
【００３２】
図１０（Ａ）および（Ｂ）を参照して、発汗抑制具４０は、左右の両胸保護部４１と、発汗抑制具４０を装着する人の鎖骨よりやや下辺りまでを含む上半身の前面部を略全範囲で覆い、さらに腰から両脇の下までの範囲を覆いながら背面に延在して、背後においてホック４２により留められる衣服部４３と、前面部のツボがある位置における衣服部４３の内側（人体側）であって、下部としては左右の両胸保護部４１の両上端部に沿う位置から、上部としては鎖骨よりやや下辺りの衣服部４３が延在する位置までの範囲を覆うように設けられ、人体側に突起部を有する略扇状の刺激部材２９と、を含む。
【００３３】
ここで説明する発汗抑制具４０においては、下部としては衣服部４３における左右の両胸保護部４１の両上端部に沿う位置から、上部としては鎖骨よりやや下辺りの位置までを覆う範囲にある衣服部４３の一部分を利用して刺激部材２９の位置を維持する。
【００３４】
この変形例によれば、左右の両胸保護部４１の両上端部に沿う位置から、鎖骨よりやや下辺りの位置までを覆う範囲に刺激部材２９を設けることにより、前面部のツボの位置で刺激部材２９が維持されるため、ブラジャ部材の肩紐部によってかかる肩への負担がないうえに、効果的に発汗を抑制させることができる。
【００３５】
なお、この変形例においては、左右の両胸保護部４１の両上端部に沿う位置から鎖骨よりやや下辺りの位置までを覆う範囲に刺激部材２９を設ける場合について説明したが、これに限ることなく、前面部のツボが存在する位置（たとえば、左右の両胸保護部４１の両上端部に沿う位置から鎖骨よりやや下辺りの位置までを覆う範囲内）において部分的に刺激部材を設けるようにしてもよい。
【００３６】
次に、この実施形態のさらに他の変形例について説明する。この変形例においては、ブラジャ部材と接続される帯状部材に刺激部材を固定してなる発汗抑制具について説明する。図１１はこの変形例における発汗抑制具６０を示す概略図であり、（Ａ）は前方から見た斜視図であり、（Ｂ）は後方から見た斜視図である。図１１（Ａ）および（Ｂ）を参照して、発汗抑制具６０は、上記で説明したブラジャ部材６１と、ブラジャ部材６１の背面側（ここでは、両肩紐部６２と胸回り紐部６３との接続部分６４ａおよび接続部分６４ｂの近傍）において接続され、接続部分６４ａと接続部分６４ｂとを繋いで前面部のツボの存在する位置（領域Ｒ）上を通るように設けられる、帯状の固定ベルト６５と、固定ベルト６５において発汗抑制具６０の装着者の前面部のツボが存在する位置に設けられ、上記の実施形態で説明した、人体側に突起部を有する２つの刺激部材５２と、を含む。なお、刺激部材５２は、固定ベルト６５により、前面部のツボの存在する位置で維持される。また、刺激部材５２は、縫いつけや面ファスナなどの公知の手段を用いて、固定ベルト６５上の任意の位置で固定が可能に構成されている。
【００３７】
ここで、固定ベルト６５について説明する。図１１（Ｃ）は、図１１（Ｂ）において丸で囲んだ部分ＸＩＣの拡大図である。図１１（Ａ）〜（Ｃ）を参照して、固定ベルト６５は、一方端側がブラジャ部材６１の接続部分６４ｂの近傍に接続され、他方端側の先端部のループ部６７により環状の第１調整部材６６ａを保持する第１ベルト部６２ａと、一方端側がブラジャ部材６１の接続部分６４ａの近傍に接続され、他方端側が先端部を第１調整部材６６ａの環を通して折り返し第２調整部材６６ｂで固定する第２ベルト６２ｂと、を含む。この構成により、第２調整部材６６ｂと接続部分６４ａとの間の長さを調整することで、無段階で固定ベルト６５の長さを調整することができる。従って、前面部のツボが存在する位置における個人差や、胸囲における個人差などへの適用能力が向上する。また、固定ベルト６５の長さを長くすることで刺激部材５２の押圧する力を弱めたり、固定ベルト６５の長さを短くすることで刺激部材５２の押圧する力を強めたりすることができる。なお、このとき、第１調整部材６６ａ、第２調整部材６６ｂ、および第１調整部材６６ａと第２調整部材６６ｂとの間にある第２ベルト部６２ｂの折り返し部分は、固定ベルト６５の長さを無段階で調整する調整部６６として作用する。
【００３８】
再び図１１（Ａ）および（Ｂ）を参照して、この変形例によれば、固定ベルト６５における前面部のツボの位置で刺激部材５２を維持するため、たとえば、両肩紐部６２よりも人体の中心側においても、押圧により前面部のツボを刺激して効果的に発汗を抑制させることができる。
【００３９】
なお、この変形例において説明した調整部６６に限ることなく、その他の公知の調整手段を用いてもよい。たとえば、固定ベルト６５に面ファスナを設けて、固定ベルト６５の長さを調整してもよい。
【００４０】
なお、この変形例における発汗抑制具６０は調整部６６を有する場合について、調整部６６を有さなくてもよい。
【００４１】
なお、この変形例においては、刺激部材５２が２つの場合について説明したが、これに限ることなく、１つでもよいし、３つ以上でもよい。
【００４２】
次に、この実施形態のさらに他の変形例について説明する。この変形例においては、ブラジャ部材と接続される帯状部材に刺激部材を固定してなる発汗抑制具の他の例について説明する。図１２は、この実施形態における他の変形例を示す概略図であり、（Ａ）は前方から見た斜視図であり、（Ｂ）は後方から見た斜視図である。図１２（Ａ）および（Ｂ）を参照して、発汗抑制具７０は、ブラジャ部材７１（肩紐部７２および胸保護部７３を含む）と、ブラジャ部材７１の前面側（ここでは、左右の各肩紐部７２と胸保護部７３との接続部分７４ａおよび接続部分７４ｂの近傍）において接続され、接続部分７４ａおよび接続部分７４ｂのそれぞれから延在して喉元辺りで結合し、首回りを１周して首の後ろで結ばれることで固定される帯状のホールターネックベルト部７５と、接続部分７４ａおよび接続部分７４ｂとホールターネックベルト部７５の喉元辺りにおける結合部分７５ａとの間であって、装着者の前面部のツボが存在する位置において各々１つずつ設けられた、上記の実施形態で説明した、人体側に突起部を有する刺激部材７７と、を含む。このとき、刺激部材７７の位置は、ホールターネックベルト部７５により、前面部のツボのある位置で維持される。また、刺激部材７７は、縫いつけや面ファスナなどの公知の手段を用いて、ホールターネックベルト部７５の任意の位置で固定が可能に構成されている。
【００４３】
この変形例によれば、ブラジャ部材７１の前面に接続されたホールターネックベルト部７５に刺激部材７７を固定することにより、前面部のツボの位置で刺激部材７７が維持されるため、押圧により前面部のツボを刺激して効果的に発汗を抑制することができるとともに、刺激部材７７を結合部分７５ａ、接続部分７４ａおよび接続部分７４ｂの３点からなる三角形の辺上に固定するため、刺激部材７７の位置のずれを低減させることができる。
【００４４】
次に、この実施形態のさらに他の変形例について説明する。これまでに説明した発汗抑制具はすべて、女性の下着（ブラジャ型やビュスチェ型など）と略同様の形状を有する場合について説明したが、この変形例においては、その他の上半身に着用される衣服と略同様の形状をする発汗抑制具について説明する。図１３はいわゆるティーシャツの形状を有するものを位置維持手段としたティーシャツ型の発汗抑制具を示す正面図である。図１３中において、一点鎖線は前面部のツボの存在する位置（領域Ｒ）を示し、斜線部は刺激部材が設けられている位置を示し、破線は発汗抑制具を装着した人の上半身を仮想的に示している。図１３を参照して、このティーシャツ型の発汗抑制具８０は、一般的なティーシャツと略同様の形状を有するティーシャツ部材８１と、ティーシャツ部材８１の前身頃の内側（すなわち、人体側）であり、前面部のツボが存在する位置に設けられ、図４で示される刺激部材２における基台および突起部と同様の構成を有し、さらに前面部のツボの存在する位置を略全範囲で覆う大きさ（面積）を有する、人体側に突起部が設けられた刺激部材８２と、を含む。このとき、刺激部材８２の位置は、ティーシャツ部材８１により前面部のツボのある位置で維持される。
【００４５】
この変形例によれば、男女のいずれにおいても発汗抑制具８０を使用することができるようになる。
【００４６】
なお、上記の変形例において、位置維持手段はティーシャツの形状を有する場合について説明したが、これに限ることなく、シャツ、ランニングシャツ、トレーナなど、上半身における任意の衣服と略同様の形状を有するものでもよい。
【００４７】
次に、この実施形態のさらに他の変形例について説明する。この変形例においては、刺激部材を前面部のツボの位置で維持するように帯状部材を胸の周りに巻きつける場合について説明する。図１４は、胸の周りに巻きつけられる帯状部材を位置維持手段とした細帯型の発汗抑制具９０を示す正面図である。図１４中における一点鎖線、斜線部、および破線は、図１３と同様のものを示す。この細帯型の発汗抑制具９０は、胸の周りに巻きつけられる細帯９１と、細帯９１の前面部の内側（人体側）であり、前面部のツボが存在する位置に設けられ、図４で示される刺激部材２における基台および突起部と同様の構成を有し、さらに前面部のツボの存在する位置（領域Ｒ）を略全範囲で覆う大きさ（面積）を有する、人体側に突起部が設けられた刺激部材９２と、を含む。また、刺激部材９２の位置は、細帯９１により、前面部のツボのある位置で維持されている。
【００４８】
この変形例によれば、前面部のツボのある位置を通る細帯９１で刺激部材９２を維持することにより、細帯９１の幅に基づいた広い範囲で前面部のツボを刺激するため、より効果的に発汗を抑制することが可能となる。なお、この細帯９１は、弾性素材であるのが好ましい。また、細帯９１は、細帯９１の長さを無段階で調整できる調整部を設けてもよい。
【００４９】
また、上記細帯型の発汗抑制具９０の他の変形例について説明する。この変形例においては、前面部のツボを部分的に刺激する場合について説明する。図１５はこの変形例における細帯型の発汗抑制具１００を示す概略図であり、（Ａ）は斜視図であり、（Ｂ）は（Ａ）において丸で囲んだ部分ＸＶＢの拡大図である。図１５（Ａ）および（Ｂ）を参照して、発汗抑制具１００は、前面部のツボが存在する位置上を通るように胸の周りに巻きつけられる細帯１０１と、細帯１０１において発汗抑制具１００の装着者の前面部のツボが存在する位置に設けられる、図１１で説明した発汗抑制具６０に設けられた刺激部材と同様の２つの刺激部材１０２と、を含む。刺激部材１０２の位置は、細帯１０１に縫いつけや面ファスナなどの公知の手段により固定されることで維持されている。また、この細帯１０１は、細帯１０１のいずれかの位置において設けられ、人体に巻きつけられる細帯１０１の長さを無段階で調整させる、図１１を用いて説明した調整部６６を含む。
【００５０】
この変形例によれば、細帯１０１が通る所望の位置において部分的に刺激部材１０２を維持するため、発汗抑制具１００の装着者の所望する部分に刺激を与えることができるとともに、発汗抑制具１００としての構成を小さくすることができる。なお、刺激部材１０２は、２つに限らず、１つでもよいし、３つ以上でもよい。また、細帯１０１は、弾性素材で構成されているのが好ましい。
【００５１】
なお、この変形例において、位置維持手段に帯状の細帯１０１を用いる場合について説明したが、これに限ることなく、断面形状が略円形状をなす紐状部材を用いてもよい。この場合、刺激部材は紐状部材に位置を維持させるために、紐状部材を貫通させる貫通孔を有するようにする。こうすることにより、紐状部材であれば、細帯のようにねじれることがなくなる。また、さらに、刺激部材は貫通孔と同一の方向に延在する円柱形状を有するようにしてもよい。こうすることにより、たとえば、円柱形状の刺激部材の側面部分の全面に、人体に面で接触、線で接触、点で接触するような突起部を不規則に設けた場合、刺激部材が紐状部材を中心に回転して、前面部のツボに対して様々な種類の刺激を与えることができるため、より効果的に発汗を刺激することができる。なお、刺激部材の側面部分において、突起部を全面に設けるのではなく、一部に設けてもよい。また、突起部の形状も任意である。また、刺激部材の形状は円柱形状に限ることなく多角柱でもよい。
【００５２】
なお、第１の実施形態においては、基台および突起部がシリコンゴムである場合について説明したが、これに限ることなく、たとえば、他の可撓性の素材でもよいし、プラスチック製、金属製などの硬質性の素材でもよい。また、基台と突起部とは同一の素材でなくてもよい。
【００５３】
なお、第１の実施形態において、刺激部材は突起部を基台上に有する場合について説明したが、これに限ることなく、基台を有さずに位置維持手段に直接突起部を形成させて刺激部材としてもよい。たとえば、ブラジャ部材の肩紐部の内側部分に直接突起部を設けてもよい。
【００５４】
なお、第１の実施形態における刺激部材は、各発汗抑制具の位置維持手段に固定される場合について説明したが、これに限ることなく、刺激部材は位置維持手段に対して脱着自在であってもよい。たとえば、図２に示される発汗抑制具１０においては、肩紐部５と刺激部材２とを両面テープにより固定する。こうすることにより、貼りつけた両面テープをはがして発汗抑制具１０の装着者の所望の位置に刺激部材２を貼り直すことができる。また、装着者の体形が変化した場合でも、体形の変化に応じて刺激部材２の位置を変更させることができる。その他の刺激部材を脱着自在にする手段については、たとえば、位置維持手段および刺激部材の両者間において面ファスナを設けてもよいし、位置維持手段に縫いつけで刺激部材を設けてもよい。なお、発汗抑制具１０以外の発汗抑制具についても同様である。
【００５５】
（２）第２の実施形態
次に、第２の実施形態について説明する。この実施形態においては、刺激部材が人体の上半身に着用される市販の衣服に脱着可能に構成され、衣服の前面部のみにおける所定の位置に設けられて、発汗を抑制するツボを刺激する場合について説明する。図１６はこの実施形態における刺激部材が市販のブラジャ５１に取り付けられた状態を示す概略図であり、（Ａ）は前方から見た斜視図であり、（Ｂ）は後方から見た斜視図である。図１６（Ａ）および（Ｂ）を参照して、刺激部材５８は人体側に突起部を有するように脱着可能に構成され、市販のブラジャ５１の胸保護部側の肩紐５１ａに取り付けられている。このとき、刺激部材５８は前面部のツボが存在する位置に合わせて取り付けられている。
【００５６】
ここで刺激部材５８について説明する。図１７は刺激部材５８を示す概略図である。（Ａ）は斜視図であり、（Ｂ）は（Ａ）のＸＶＩＩＢ−ＸＶＩＩＢにおける矢視図である。図１７（Ａ）および（Ｂ）を参照して、刺激部材５８は、両者が同一の大きさを有する２層構造であり、プラスチックなどの硬質の素材からなる略矩形状の第１基台５３および第２基台５４と、第１基台５３において第２基台５４とは異なる側の面に設けられ、シリコンゴムからなる略半球体の形状を有する複数の突起部５５と、を含む。図１７（Ｃ）は、第１基台５３および第２基台５４における接続の関係を示す概略斜視図である。また、図１７（Ｃ）中の破線は、帯状のもの（ここでは、市販のブラジャの肩紐５１ａとする）が第２基台５４上に載置されている状態を示す。図１７（Ｃ）を参照して、第１基台５３および第２基台５４は、一方側の長辺５６で接続されている。これにより、図１７（Ｃ）中の矢印が示すように、第１基台５３および第２基台５４は、一方側の長辺５６を中心として開閉可能である。また、第１基台５３および第２基台５４は、閉じられることにより、載置されたブラジャの肩紐５１ａを挟み込んだ状態で固定される。ここでの固定には、面ファスナが用いられる。面ファスナは、第１基台５３および第２基台５４において対向する両面の全面に設けられ、第１基台５３および第２基台５４が閉じられることにより接着する。従って、ブラジャの肩紐５１ａが載置されている場合、肩紐５１ａが載置されている部分とは異なる部分（すなわち、第１基台５３および第２基台５４に設けられた面ファスナが直接接触する部分）において接着するため、肩紐５１ａを挟み込んだ状態で第１基台５３および第２基台５４が固定される。すなわち、刺激部材５８はブラジャの肩紐５１ａに固着する。一方、第１基台５３および第２基台５４が開かれることにより、面ファスナの接着が解除され、刺激部材５８は肩紐５１ａから外れる。このようにして、刺激部材５８は帯状のものに脱着する。なお、この場合、第１基台５３および第２基台５４の幅（短辺の長さ）は、肩紐５１ａの幅より広い。
【００５７】
再び図１６（Ａ）および（Ｂ）を参照して、この実施形態によれば、刺激部材５８が市販のブラジャ５１に脱着可能であることにより、発汗を抑制したいときに刺激部材５８を市販のブラジャに５１に取り付けることで、効果的に発汗を抑制させることができる。
【００５８】
なお、この実施形態において、第１基台５３および第２基台５４の接続は、一方側の長辺５６で接続されている場合について説明したが、これに限ることなく、短辺側でもよい。
【００５９】
なお、この実施形態において、刺激部材５８を肩紐５１ａ（帯状のもの）に固定する手段は面ファスナである場合について説明したが、これに限ることなく、その他の公知の手段で刺激部材５８を固定してもよい。たとえば、磁石を用いて、磁石による引力で刺激部材５８を固定するようにしてもよい。
【００６０】
なお、この実施形態においては、刺激部材５８を肩紐５１ａに固定する場合について説明したが、これに限ることなく、前面部のツボのある領域内で刺激部材５８の位置が維持されれば、肩紐部５１ａではないその他の部分に刺激部材５８を固定してもよい。また、市販のブラジャに限ることなく、ティーシャツ、タンクトップ、シャツ、トレーナなど、上半身における任意の衣服に着脱して固定するようにしてもよい。
【００６１】
なお、この実施形態においては、上記したような刺激部材を用いる場合について説明したが、これに限ることなく、たとえば、第１の実施形態で説明した刺激部材が、市販の衣服の前面部のツボの位置で維持されるように脱着し得る構成を有するようにしてもよい。
【００６２】
なお、第１および第２の実施形態において、基台を有する刺激部材の基台の形状は略矩形状である場合について説明したが、これに限ることなく、他の多角形状でもよいし、円形状でもよい。
【００６３】
なお、この実施形態においては、突起部がシリコンゴムである場合について説明したが、これに限ることなく、たとえば、他の可撓性の素材でもよいし、プラスチック製、金属製などの硬質性の素材でもよい。また、基台と突起部とは同一の素材でなくてもよい。
【００６４】
なお、第１および第２の実施形態において、発汗抑制具を装着した場合および市販の衣服に刺激部材を取り付けた場合の刺激部材の押圧力を向上させるために、さらに別に用意した帯状のものを、装着された発汗抑制具の刺激部材および市販の衣服に取り付けられた刺激部材の上から抑えるように人体に巻きつけてもよい。こうすることにより、より効果的に発汗を抑制することができる。
【００６５】
なお、第１および第２の実施形態において、刺激部材は押圧の力を利用して前面部のツボを刺激する刺激部材（押圧刺激部材）を用いる場合について説明したが、これに限ることなく、磁石などの磁気を用いて前面部のツボを刺激するもの（磁気刺激部材）でもよい。
【００６６】
なお、第１および第２の実施形態においては、人体に刺激部材を直に接触させる場合について説明したが、これに限ることなく、たとえば、発汗抑制具の内側に下着を１枚着たり、刺激部材が人体に直接あたる部分に当て布をひいたりするなどして、人体と刺激部材とを間接的に接触させるようにしてもよい。
【００６７】
なお、第１および第２の実施形態において説明した発汗抑制具または刺激部材と、特許文献１や特許文献２が開示するような体側部のツボを押圧する押圧体とを併用するようにしてもよい。こうすることにより、より効果的に発汗を抑制することができる。
【００６８】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【符号の説明】
【００６９】
１，３１，５１，６１，７１  ブラジャ部材、２，２０，２３，２６，２９，３５，５２，５８，７７，８２，９２，１０２  刺激部材、１１，２１，２４，２７  基台、１２，２２，２５，２８，５５  突起部、３，３２，４１，７３，  胸保護部、４，３３，６３  胸回り紐部、５，３４，５１ａ，６２，７２  肩紐部、６，３６，４２  ホック、１０，３０，４０，６０，７０，８０，９０，１００  発汗抑制具、４３  衣服部、５３  第１基台、５４  第２基台、５６  一方側の長辺、６２ａ  第１ベルト部、６２ｂ  第２ベルト部、６４ａ，６４ｂ，７４ａ，７４ｂ  接続部分、６５  固定ベルト、６６  調整部、６６ａ  第１調整部材、６６ｂ  第２調整部材、６７  ループ部、７５  ホールターネックベルト部、８１  ティーシャツ部材、９１，１０１  細帯。
【図１】
2012024241.tif 000003
【図２】
2012024241.tif 000004
【図３】
2012024241.tif 000005
【図４】
2012024241.tif 000006
【図５】
2012024241.tif 000007
【図６】
2012024241.tif 000008
【図７】
2012024241.tif 000009
【図８】
2012024241.tif 000010
【図９】
2012024241.tif 000011
【図１０】
2012024241.tif 000012
【図１１】
2012024241.tif 000013
【図１２】
2012024241.tif 000014
【図１３】
2012024241.tif 000015
【図１４】
2012024241.tif 000016
【図１５】
2012024241.tif 000017
【図１６】
2012024241.tif 000018
【図１７】
2012024241.tif 000019